(57)【要約】【課題】消灯時のセグメント光透過部が目立たない上に発光部を発光させた時の表示が見やすく、しかも低コストなものとする。【解決手段】各セグメント毎の発光部と、各発光部からの光を個別に通過させる複数の表示孔を備えた枠体と、光透過シートとを光透過性の表示パネルの背後に配したものである。上記光透過シートは遮光層を有して該遮光層がなく且つ上記表示孔に重なる部分をセグメント光透過部としているとともに、上記光透過シートにおける遮光層が、光透過シートの光射出側から見てマンセルバリューにおける明度が５以上であり、上記表示パネルは光透過率が４０％以上である。【選択図】図３
2017044867.tif 000002
【特許請求の範囲】
【請求項１】
各セグメント毎の発光部と、各発光部からの光を個別に通過させる複数の表示孔を備えた枠体と、光透過シートとを光透過性の表示パネルの背後に配したものであり、上記光透過シートは遮光層を有して該遮光層がなく且つ上記表示孔に重なる部分をセグメント光透過部としているとともに、上記光透過シートにおける遮光層が、光透過シートの光射出側から見てマンセルバリューにおける明度が５以上のものとして形成し、上記表示パネルを光透過率が４０％以上のものとしていることを特徴とするセグメント型表示器。
【請求項２】
上記遮光層は、アルミニウム粉末を分散させたインクによるシルバー印刷で形成していることを特徴とする請求項１記載のセグメント型表示器。
【発明の詳細な説明】
【技術分野】
【０００１】
本発明は、１つの文字や図形を複数のセグメントによって表示するセグメント型表示器に関するものである。
【背景技術】
【０００２】
１つの文字や図形を複数のセグメントによって表示するセグメント型表示器は、各セグメント毎の発光部と、各発光部からの光を個別に通過させる複数の表示孔を備えた枠体と、乳白色の光透過シートとを光透過性の表示パネルの背後に配したものとして構成される。
【０００３】
上記光透過シートは、セグメントに対応する部分以外に黒色印刷による遮光層を備えることで、セグメント光透過部を有しており、このセグメント光透過部が上記枠体の表示孔に重なるように上記枠体表面に光透過シートが取り付けられる。
【０００４】
発光部が発光する時、枠体の表示孔と光透過シートのセグメント光透過部とを通じて発光部の光が表示パネルに至って文字や図形が表示される。
【先行技術文献】
【特許文献】
【０００５】
【特許文献１】特開２０１０−４４２２４号公報
【発明の概要】
【発明が解決しようとする課題】
【０００６】
前記光透過シートにおける遮光層は、発光部を発光させることで表示を行う時、各セグメント間での光漏れを防いで、表示を明瞭にするためのものであるが、黒色印刷によって遮光層を形成しているために、消灯時にも各セグメント光透過部がくっきりと見えてしまい、見映えが悪い。例えば、７個のセグメントによって０から９までの数字を表示する７セグメントの表示器においては、７個のセグメント光透過部による８の字が消灯時にもくっきりと見えてしまう。
【０００７】
表示パネルの光透過率を低くすれば、消灯時のセグメント光透過部を目立たなくすることができるが、発光部を発光させた時の表示も暗くなるために、発光部として高輝度のものを用いなくてはならず、コストが高くなる。
【０００８】
本発明は上記問題に鑑みてなされたもので、消灯時のセグメント光透過部が目立たない上に発光部を発光させた時の表示が見やすく、しかも低コストであるセグメント型表示器を提供することを課題とする。
【課題を解決するための手段】
【０００９】
本発明にかかるセグメント型表示器は、各セグメント毎の発光部と、各発光部からの光を個別に通過させる複数の表示孔を備えた枠体と、光透過シートとを光透過性の表示パネルの背後に配したものであり、上記光透過シートは遮光層を有して該遮光層がなく且つ上記表示孔に重なる部分をセグメント光透過部としているとともに、上記光透過シートにおける遮光層が、光透過シートの光射出側から見てマンセルバリューにおける明度が５以上のものとして形成し、上記表示パネルを光透過率が４０％以上のものとしていることに特徴を有している。
【００１０】
上記遮光層は、アルミニウム粉末を分散させたインクによるシルバー印刷で形成していることが好ましい。
【発明の効果】
【００１１】
光透過シートをその光射出側から見た時、光透過シートにおける遮光層がある部分と、遮光層がなくてセグメント光透過部となっている部分との明度差が小さいために、表示パネルの光透過率が高いにもかかわらず、消灯時における各セグメント光透過部が目立たない。しかも表示パネルの光透過率が高いために、発光部を発光させた時の表示が見やすい上に、発光部として高輝度のものを用いる必要がなくなるために低コストで提供することができる。
【図面の簡単な説明】
【００１２】
【図１】本発明のセグメント型表示器の実施形態の一例を備えたガスこんろを示しており、Ａは操作パネル部を閉じた状態の斜視図、Ｂは操作パネル部を開いた状態の斜視図である。
【図２】操作パネル部の分解斜視図である。
【図３】同上の操作パネル部に設けられたセグメント型表示器の分解斜視図である。
【発明を実施するための形態】
【００１３】
以下、本発明を図示の実施例に基づいて詳述すると、図１は本発明に係るセグメント型表示器１を操作パネル部２に備えたガスこんろ１０を示している。３つのこんろバーナ１１，１２，１３を天面に備えるとともに前面の左右方向中央部にグリル庫１４を備え、さらに天面の奥側にグリル庫用の排気部１５を備えた図示例のガスこんろ１０は、左右の両側部に、いわゆるカンガルーポケット型の回動ブロック１６，１６を有している。そして回動ブロック１６を回動させた時、回動ブロック１６に設けた操作パネル部２が現れる。
【００１４】
操作パネル部２は、図２に示すように、操作シート２０と合成樹脂製の回動枠２１と回路基板２２とからなる。複数の復帰ばね２３が一体に形成されているとともに複数の透過窓２４及び窓２５が形成された回動枠２１の表面側に、操作シート２０が設置され、回動枠２１の裏面側に回路基板２２が取り付けられる。
【００１５】
この時、回路基板２２上に設けられた複数のタクトスイッチ２６が復帰ばね２３の背後に位置し、回路基板２２上に設けられた動作表示用の発光ダイオードからなる複数のランプ２７が透過窓２４に臨み、更に回路基板２２上に設けられた７セグメント型数値表示部３０が窓２５に臨む。
【００１６】
操作シート２０は、復帰ばね２３を介してタクトスイッチ２６をオンオフすることになる複数の操作部２９と、ランプ２７の光を透過する光透過部２８と、７セグメント型数値表示部３０の光を透過する光透過部３７とを備える。
【００１７】
本発明にかかるセグメント型表示器１は、上記の７セグメント型数値表示部３０と、操作シート２０における光透過部３７とで構成される。７セグメント型数値表示部３０は、図３に示すように、回路基板２２上に実装された発光ダイオードからなる各セグメント毎の発光部３１と、白色の光反射性を有する合成樹脂で形成された枠体３２と、枠体３２の表面に取り付けられる光透過シート３４とからなる。
【００１８】
上記枠体３２は、各発光部３１からの光を個別に通過させる複数の表示孔３３を備えている。
【００１９】
上記光透過シート３４は、乳白色の光透過性を有するものであるが、背面側に遮光層３５を設けることで、遮光層３５がない部分でセグメント光透過部３６が設けられている。これらセグメント光透過部３６は、枠体３２の表示孔３３に対応する位置にある。そして、この７セグメント型数値表示部３０は、操作シート２０における光透過部３７の背後に位置する。このために本実施例では操作シート２０の光透過部３７が本発明における表示パネルに相当することになる。
【００２０】
発光部３１が発光する時、枠体３２の表示孔３３と光透過シート３４のセグメント光透過部３６とを通じて発光部３１の光が表示パネル３７に至る。なお、光透過シート３４のセグメント光透過部３６は、枠体３２の表示孔３３のよりも一回り小さくすることで、該当セグメントの発光部３１を発光させた時、セグメント光透過部３６の全面が光るようにしてある。
【００２１】
ここにおいて、乳白色の上記光透過シート３４は、遮光層３５を通常の黒色印刷ではなく、アルミニウム粉末をインク用ビヒクルに分散させている銀インクを用いたシルバー印刷によって形成している。このために、光透過シート３４を正面から見た時、遮光層３５がある部分は銀色に見えることになる。このシルバー印刷による遮光層３６は、十分な遮光性能を有するにもかかわらず、明度が高い。このために、発光部３１の光を透過させる乳白色のセグメント光透過部３６との明度差が小さい。従って、消灯時におけるセグメント光透過部３６は目立たない。
【００２２】
光透過シート３４の遮光層３５が背後にある部分の明度はマンセルバリューにおいて５以上で且つ遮光層３５が背後にないセグメント光透過部３６との明度差が、マンセルバリューにおいて３以下であることが好ましい。光透過シート３４の遮光層３５が背後にある部分の明度がマンセルバリューにおいて７以上であり、遮光層３５が背後にないセグメント光透過部３６との明度差が、マンセルバリューにおいて２以下であることがより好ましい。なお、銀色の場合、正確にはマンセルバリューが存在しないが、ここでは目視による明度を用いている。
【００２３】
もちろん上記の明度差が小さいほど、消灯時のセグメント光透過部３６が目立たなくなる。ちなみに遮光層３５をシルバー印刷で形成した場合の明度差は、マンセルバリューで２以下である。
【００２４】
また、遮光層３５が背後にある部分の明度が、セグメント光透過部３６の明度よりも高くても、消灯時にセグメント光透過部３６が目立つことになるために、遮光層３５が背後にある部分の明度は、セグメント光透過部３６の明度以下とすることが好ましい。
【００２５】
加えるに、表示パネル３７はその光透過率が４０％以上のものが好ましい。光透過シート３４における遮光層３５をシルバー印刷で形成している場合は、光透過率が７０％以上のものを用いても、セグメント光透過部３６が目立つことはない。このために発光部３１として、さほど輝度が高くない発光ダイオードを用いても、また明るい照明下でも、発光時のセグメント表示を明瞭なものとすることができる。なお、表示パネル３７の光透過率が４０％未満であると、発光部３１の輝度を高くしなくてはならず、ガスこんろ１０のように電池電源で作動させるものにおいては、電池消耗も激しくなる。
【００２６】
表示パネル３７は無色透明であると背後のものが全て見えてしまうことになる。また、操作パネル部２の全体の色調を合わせることが難しくなる。このために表示パネル３７には一般に着色したものを用いるが、その色は限定しない。ただし、発光部３１の発光色との兼ね合いで色を決めることが好ましい。たとえば発光部３１としてオレンジ色の発光ダイオードを用いた場合、表示パネル３７は薄い紫色（スモーク色）の光透過性を有するものとすると、不要なものが透過して見えてしまうおそれを少なくすることができるとともに操作パネル部２の外観及び視認性を良好なものとすることができ、しかも発光部３１を発光させた時のセグメント表示を綺麗に見せることができる上に、明るい照明下でのセグメント表示の視認性も良好となる。
【００２７】
光透過シート３４の遮光層３５をシルバー印刷で形成した例を示したが、光透過シート３４を正面から見た時の遮光層３５が背後にある部分と、遮光層３５が背後にないセグメント光透過部３６との明度差を小さくすることができれば、どのような方法で遮光層３５を形成してもよい。例えば、光透過シート３４の裏面に白色印刷を行い、さらにその上に黒色印刷を行うことで遮光層３５を形成すれば、光透過シート３４を表面から見た時の明度が高い遮光層３５とすることができる。印刷ではなく、明度の高い遮光性シート（フィルム）を光透過シート３４の裏面に貼ることで形成してもよい。
【符号の説明】
【００２８】
１  セグメント型表示器
３１  発光部
３２  枠体
３３  表示孔
３４  光透過シート
３５  遮光層
３６  セグメント光透過部
３７  表示パネル（光透過部）
【図１】
2017044867.tif 000003
【図２】
2017044867.tif 000004
【図３】
2017044867.tif 000005